(57)【要約】【課題】空気調和機本体または制御装置が故障にて返却された場合、迅速で確実な故障解析とその修理を実施することができる。【解決手段】室内機の制御装置及び室外機の制御装置の両方に製造番号を記憶する為の記憶部を設け、空気調和機設置後で室内機と室外機の接続時に、室内機生産時にあらかじめ室内機制御装置の記憶部に記憶された室内機製造番号を室内機から室外機へ送信し、室外機生産時にあらかじめ室外機制御装置の記憶部に記憶された室外機の製造番号を室外機から室内機へ送信し、更に、室外機は全室内機の製造番号を全室内機に送信することで、室外機制御装置の記憶部には全ての室内機の製造番号を記憶すると共に、室内機制御装置の記憶部には室外機及び全ての室内機の製造番号を記憶する。【選択図】図１
2005345053.tif 000002
【特許請求の範囲】
【請求項１】
複数の室内機と１台の室外機を接続する空気調和機において、室内機の制御装置及び室外機の制御装置の両方に製造番号を記憶する為の記憶部を設け、空気調和機設置後で室内機と室外機の接続時に、室内機生産時にあらかじめ室内機制御装置の記憶部に記憶された室内機製造番号を室内機から室外機へ送信し、室外機生産時にあらかじめ室外機制御装置の記憶部に記憶された室外機の製造番号を室外機から室内機へ送信し、更に、室外機は全室内機の製造番号を全室内機に送信することで、室外機制御装置の記憶部には全ての室内機の製造番号を記憶すると共に、室内機制御装置の記憶部には室外機及び全ての室内機の製造番号を記憶することを特徴とする空気調和機の制御装置。
【請求項２】
空気調和機設置後で、電源投入時にのみ、製造番号を室外機から室内機へ、または、室外機から室内機へ送信し、室外機制御装置の記憶部には全ての室内機の製造番号を記憶し、室内機制御装置の記憶部には室外機及び全ての室内機の製造番号を記憶した後に、通常の空気調和機の制御を開始することを特徴とする請求項１記載の空気調和機の制御装置。
【請求項３】
空気調和機設置後、空気調和機の電源を切断せずに、更に室内機が追加接続された場合、再度製造番号を送信し、製造番号を再記憶することを特徴とする請求項２記載の空気調和機の制御装置。
【請求項４】
室内機制御装置の記憶部に記憶した室外機及び全ての室内機の製造番号を表示するための表示手段を有することを特徴とする請求項１記載の空気調和機の制御装置。
【請求項５】
室内機制御装置の記憶部にその他室内機の異常内容を記憶し、製造番号と連動させて異常内容を表示することを特徴とする請求項４記載の空気調和機の制御装置。
【請求項６】
室内機制御装置の記憶部にその他室内機の設置条件を異常の有無に関わらず記憶し、製造番号と連動させて設置条件を表示することを特徴とする請求項４記載の空気調和機の制御装置。
【発明の詳細な説明】
【技術分野】
【０００１】
本発明は、複数の室内機と１台の室外機を接続する空気調和機において、室内機及び室外機の制御装置に、製造番号を記憶する手段を備えた空気調和機の制御装置に関するものである。
【背景技術】
【０００２】
従来、室内機及び室外機の制御装置に記憶部を設け、生産時にあらかじめ製品の種類や製造番号を記憶させておき、その内容を表示したり、その内容を用いて圧縮機制御の切換を行うなどの手法があった（例えば下記特許文献参照）。
【特許文献１】特開平６−２６５２００号公報
【特許文献２】特開２０００−２７４７６６号公報
【発明の開示】
【発明が解決しようとする課題】
【０００３】
しかしながら、特許文献１及び特許文献２では、空気調和機設置時で、室内機と室外機が接続された状態では、室内機は室外機の内容を、室外機は室内機の内容を知ることができるが、空気調和機の故障などにより電源を切られた場合や空気調和機本体が設置場所から撤去され、室内機と室外機が接続されていない状態では、過去接続されていた時の相手の室外機または室内機の内容を知ることができない。その為、故障などで室内機のみが工場などに返却された場合、簡単な故障の場合は、室内機単独での修理は可能だが、複雑な故障内容の場合、空気調和機は室内機と室外機が接続されて始めて正常な動作が可能な為故障に対する解析が十分に実施できず、故障に対する修理が完了しない場合も発生する可能性がある。また、室内機と室外機が両方返却されてきても、複数のセットがバラバラに返却された場合には、どの室内機とどの室外機が接続されていたかという組み合わせを知る手段がない為、十分な解析ができない。
【０００４】
本発明はこのような従来の課題を解決するものであり、空気調和機本体または制御装置が故障にて返却された場合でも、迅速で確実な故障解析とその修理を実施することができる空気調和機の制御装置を提供することを目的とする。
【課題を解決するための手段】
【０００５】
複数の室内機と１台の室外機を接続する空気調和機において、室内機の制御装置及び室外機の制御装置の両方に製造番号を記憶する為の記憶部を設け、空気調和機設置後で室内機と室外機の接続時に、室内機生産時にあらかじめ室内機制御装置の記憶部に記憶された室内機製造番号を室内機から室外機へ送信し、室外機生産時にあらかじめ室外機制御装置の記憶部に記憶された室外機の製造番号を室外機から室内機へ送信し、更に、室外機は全室内機の製造番号を全室内機に送信することで、室外機制御装置の記憶部には全ての室内機の製造番号を記憶すると共に、室内機制御装置の記憶部には室外機及び全ての室内機の製造番号を記憶する
上記構成によって、複数の室内機と１台の室外機を接続する空気調和機であるマルチシステム商品において、空気調和機室内機本体または室内機の制御装置のみが故障にて返却された場合でも、迅速で確実な故障解析とその修理を実施することができる空気調和機の制御装置を提供することを目的とする。
【発明の効果】
【０００６】
本発明の空気調和機の制御装置は、室外機制御装置の記憶部に全ての室内機の製造番号を記憶すると共に、室内機制御装置の記憶部に室外機及び全ての室内機の製造番号を記憶
することにより、複数の室内機と１台の室外機を接続する空気調和機であるマルチシステム商品において、空気調和機室内機本体または室内機の制御装置のみが故障にて返却された場合でも、通常の１台の室内機と１台の室外機の空気調和機と同様に、迅速で確実な故障解析とその修理を実施することができる。
【発明を実施するための最良の形態】
【０００７】
第１の発明は、室外機制御装置の記憶部に全ての室内機の製造番号を記憶すると共に、室内機制御装置の記憶部に室外機及び全ての室内機の製造番号を記憶することにより、複数の室内機と１台の室外機を接続する空気調和機であるマルチシステム商品において、空気調和機室内機本体または室内機の制御装置のみが故障にて返却された場合、迅速で確実な故障解析とその修理を実施することができるという効果を奏する。
【０００８】
第２の発明は、空気調和機設置後で、電源投入時にのみ、製造番号を室外機から室内機へ、または、室外機から室内機へ送信し、室外機制御装置の記憶部には全ての室内機の製造番号を記憶し、室内機制御装置の記憶部には室外機及び全ての室内機の製造番号を記憶した後に、通常の空気調和機の制御を開始することにより、複数の室内機と１台の室外機を接続する空気調和機であるマルチシステム商品において、通常の空気調和機の運転状態では室内機と室外機の通信処理の負荷を掛けずに、空気調和機室内機本体または室内機の制御装置のみが故障にて返却された場合、迅速で確実な故障解析とその修理を実施することができるという効果を奏する。
【０００９】
第３の発明は、複数の室内機と１台の室外機を接続する空気調和機であるマルチシステム商品において、空気調和機設置後、空気調和機の電源を切断せずに、更に室内機が追加接続された場合、再度製造番号を送信し、製造番号を再記憶することにより、通常の空気調和機の運転状態では室内機と室外機の通信処理の負荷を掛けずに、また、室内機を追加接続した場合でもスムーズな運転を確保しつつ、空気調和機室内機本体または室内機の制御装置のみが故障にて返却された場合、迅速で確実な故障解析とその修理を実施することができる空気調和機の制御装置を提供することができるという効果を奏する。
【００１０】
第４の発明は、複数の室内機と１台の室外機を接続する空気調和機であるマルチシステム商品において、室内機制御装置の記憶部に記憶した室外機及び全ての室内機の製造番号を表示するための表示手段を有することにより、空気調和機室内機本体または室内機の制御装置のみが故障にて返却された場合、迅速で確実な故障解析とその修理を簡単に実施することができるという効果を奏する。
【００１１】
第５の発明は、複数の室内機と１台の室外機を接続するマルチシステム商品において、室内機制御装置の記憶部にその他室内機の異常内容を記憶し、製造番号と連動させて異常内容を表示することにより、空気調和機室内機本体または室内機の制御装置のみが故障にて返却された場合、迅速で確実な故障解析とその修理を簡単に実施することができるという効果を奏する。
【００１２】
第６の発明は、複数の室内機と１台の室外機を接続するマルチシステム商品において、室内機制御装置の記憶部にその他室内機の設置条件を異常の有無に関わらず記憶し、製造番号と連動させて設置条件を表示することにより、空気調和機室内機本体または室内機の制御装置のみが故障にて返却された場合、迅速で確実な故障解析とその修理を簡単に実施することができることができるという効果を奏する。
【００１３】
以下本発明の実施の形態について図面を参照して説明する。
【００１４】
（実施の形態１）
図１は実施の形態１に係わる制御装置の構成図である。図１において、室内制御装置１は、マイクロコンピュータ１１、室内記憶部１２、室内通信部１３から構成され、また、室内制御装置２は、マイクロコンピュータ２１、室内記憶部２２、室内通信部２３から構成されており、室外制御装置３はマイクロコンピュータ３１、室外記憶部３２、室外通信部３３から構成されている。
【００１５】
実際の動作は、図２のフローチャートを用いて説明する。まず、室内機Ａに搭載されている室内制御装置１において、マイクロコンピュータ１１により室内記憶部１２より室内機Ａの製造番号を読み出す（２０１）。その後、室内機Ａの製造番号は室内通信部１３及び室外通信部３３を経由し、室外制御装置３のマイクロコンピュータ３１へ送信される（２０２）。そして、マイクロコンピュータ３１により室内機Ａの製造番号は室外記憶部３２へ記憶される（２０３）。また、この記憶された室内機Ａの製造番号は、室外通信部３３及び室内通信部２３を経由し、室内制御装置２のマイクロコンピュータ２１へ送信される（２０４）。そして、マイクロコンピュータ２１により室内機Ａの製造番号は室内記憶部２２へ記憶される（２０５）。これらの動作を全ての室内機に対して実施すると共に、これらの一連の動作を繰り返す。
【００１６】
このように室外機制御装置の記憶部には全ての室内機の製造番号を記憶すると共に、室内機制御装置の記憶部には室外機及び全ての室内機の製造番号を記憶することにより、複数の室内機と１台の室外機を接続する空気調和機であるマルチシステム商品において、空気調和機室内機本体または室内機の制御装置のみが故障にて返却された場合、迅速で確実な故障解析とその修理を実施することができる空気調和機の制御装置を提供することができる。
（実施の形態２）
図３は実施の形態２に係るフローチャートである。図３を用いて説明する。電源投入直後のマイコンリセット解除後に、まず、室内機Ａに搭載されている室内制御装置１において、マイクロコンピュータ１１により室内記憶部１２より室内機Ａの製造番号を読み出す（３０１）。その後、室内機Ａの製造番号は室内通信部１３及び室外通信部３３を経由し、室外制御装置３のマイクロコンピュータ３１へ送信される（３０２）。そして、マイクロコンピュータ３１により室内機Ａの製造番号は室外記憶部３２へ記憶される（３０３）。また、この記憶された室内機Ａの製造番号は、室外通信部３３及び室内通信部２３を経由し、室内制御装置２のマイクロコンピュータ２１へ送信される（３０４）。そして、マイクロコンピュータ２１により室内機Ａの製造番号は室内記憶部２２へ記憶される（３０５）。そして、これらの動作を全ての室内機に対して実施した後は、通常の空気調和機の制御のみを実施し、これらの室内製造番号の記憶は、マイコンリセット後に１回しか行わない。
【００１７】
このように空気調和機設置後で、電源投入時にのみ、製造番号を室外機から室内機へ、または、室外機から室内機へ送信し、室外機制御装置の記憶部には全ての室内機の製造番号を記憶し、室内機制御装置の記憶部には室外機及び全ての室内機の製造番号を記憶した後に、通常の空気調和機の制御を開始することにより、複数の室内機と１台の室外機を接続する空気調和機であるマルチシステム商品において、通常の空気調和機の運転状態では室内機と室外機の通信処理の負荷を掛けずに、空気調和機室内機本体または室内機の制御装置のみが故障にて返却された場合、迅速で確実な故障解析とその修理を実施することができる空気調和機の制御装置を提供することができる。
【００１８】
（実施の形態３）
図４は実施の形態３に係るフローチャートである。図４を用いて説明する。まず、新たに室内機が接続されたかどうかの判断をする（４０１）。もし、新たに室内機が接続されていない場合は、特に何もせず、再度、室内機の接続有無の判定を実施するが、もし、新
たに室内機が接続された場合は、新たに接続された室内機を室内機Ａとすると、まず、室内機Ａに搭載されている室内制御装置１において、マイクロコンピュータ１１により室内記憶部１２より室内機Ａの製造番号を読み出す（２０１）。その後、室内機Ａの製造番号は室内通信部１３及び室外通信部３３を経由し、室外制御装置３のマイクロコンピュータ３１へ送信される（２０２）。そして、マイクロコンピュータ３１により室内機Ａの製造番号は室外記憶部３２へ記憶される（２０３）。また、この記憶された室内機Ａの製造番号は、室外通信部３３及び室内通信部２３を経由し、室内制御装置２のマイクロコンピュータ２１へ送信される（２０４）。そして、マイクロコンピュータ２１により室内機Ａの製造番号は室内記憶部２２へ記憶される（２０５）。これらの動作を全ての室内機に対して実施する。
【００１９】
このように複数の室内機と１台の室外機を接続する空気調和機であるマルチシステム商品において、空気調和機設置後、空気調和機の電源を切断せずに、更に室内機が追加接続された場合、再度製造番号を送信し、製造番号を再記憶することにより、通常の空気調和機の運転状態では室内機と室外機の通信処理の負荷を掛けずに、また、室内機を追加接続した場合でもスムーズな運転を確保しつつ、空気調和機室内機本体または室内機の制御装置のみが故障にて返却された場合、迅速で確実な故障解析とその修理を実施することができる空気調和機の制御装置を提供することができる。
【００２０】
（実施の形態４）
図５は実施の形態１に係わる制御装置の構成図である。図５において、室内制御装置１は、マイクロコンピュータ１１、室内記憶部１２、室内通信部１３、室内表示部１４から構成され、また、室内制御装置２は、マイクロコンピュータ２１、室内記憶部２２、室内通信部２３、室内表示部２４から構成されており、室外制御装置３はマイクロコンピュータ３１、室外記憶部３２、室外通信部３３から構成されている。
【００２１】
実際の動作は、図６のフローチャートを用いて説明する。まず、室内機Ａに搭載されている室内制御装置１において、マイクロコンピュータ１１により室内記憶部１２より室内機Ａの製造番号を読み出す（６０１）。その後、室内機Ａの製造番号は室内通信部１３及び室外通信部３３を経由し、室外制御装置３のマイクロコンピュータ３１へ送信される（６０２）。そして、マイクロコンピュータ３１により室内機Ａの製造番号は室外記憶部３２へ記憶される（６０３）。また、この記憶された室内機Ａの製造番号は、室外通信部３３及び室内通信部２３を経由し、室内制御装置２のマイクロコンピュータ２１へ送信される（６０４）。そして、マイクロコンピュータ２１により室内機Ａの製造番号は室内記憶部２２へ記憶される（６０５）。そして、室内製造番号の表示が必要な場合は、室内表示部２４により室内機Ａの製造番号を表示する（６０６）。
【００２２】
このように複数の室内機と１台の室外機を接続する空気調和機であるマルチシステム商品において、室内機制御装置の記憶部に記憶した室外機及び全ての室内機の製造番号を表示するための表示手段を有することにより、空気調和機室内機本体または室内機の制御装置のみが故障にて返却された場合、迅速で確実な故障解析とその修理を簡単に実施することができる空気調和機の制御装置を提供することができる。
【００２３】
（実施の形態５）
図７は実施の形態５に係るフローチャートである。図７を用いて説明する。まず、室内機Ａに搭載されている室内制御装置１において、マイクロコンピュータ１１により室内記憶部１２より室内機Ａの製造番号と過去に異常発生した時に記憶した異常内容を読み出す（７０１）。その後、室内機Ａの製造番号と異常内容を室内通信部１３及び室外通信部３３を経由し、室外制御装置３のマイクロコンピュータ３１へ送信する（７０２）。そして、マイクロコンピュータ３１により室内機Ａの製造番号及び異常内容は室外記憶部３２へ
記憶される（７０３）。また、この記憶された室内機Ａの製造番号と異常内容は、室外通信部３３及び室内通信部２３を経由し、室内制御装置２のマイクロコンピュータ２１へ送信される（７０４）。そして、マイクロコンピュータ２１により室内機Ａの製造番号と異常内容は室内記憶部２２へ記憶される（７０５）。そして、室内製造番号及び異常内容の表示が必要な場合は、室内表示部２４により室内機Ａの製造番号と異常内容を表示する（７０６）。
【００２４】
このように複数の室内機と１台の室外機を接続するマルチシステム商品において、室内機制御装置の記憶部にその他室内機の異常内容を記憶し、製造番号と連動させて異常内容を表示することにより、空気調和機室内機本体または室内機の制御装置のみが故障にて返却された場合、迅速で確実な故障解析とその修理を簡単に実施することができる空気調和機の制御装置を提供することができる。
【００２５】
（実施の形態６）
図８は実施の形態６に係るフローチャートである。図８を用いて説明する。まず、室内機Ａに搭載されている室内制御装置１において、マイクロコンピュータ１１により室内記憶部１２より室内機Ａの製造番号と設定時に記憶した設置条件を読み出す（８０１）。その後、室内機Ａの製造番号と設置条件を室内通信部１３及び室外通信部３３を経由し、室外制御装置３のマイクロコンピュータ３１へ送信する（８０２）。そして、マイクロコンピュータ３１により室内機Ａの製造番号及び設置条件は室外記憶部３２へ記憶される（８０３）。また、この記憶された室内機Ａの製造番号と設置条件は、室外通信部３３及び室内通信部２３を経由し、室内制御装置２のマイクロコンピュータ２１へ送信される（８０４）。そして、マイクロコンピュータ２１により室内機Ａの製造番号と設置条件は室内記憶部２２へ記憶される（８０５）。そして、室内製造番号及び設置条件の表示が必要な場合は、室内表示部２４により室内機Ａの製造番号と設置条件を表示する（８０６）。
【００２６】
このように複数の室内機と１台の室外機を接続するマルチシステム商品において、室内機制御装置の記憶部にその他室内機の設置条件を異常の有無に関わらず記憶し、製造番号と連動させて設置条件を表示することにより、空気調和機室内機本体または室内機の制御装置のみが故障にて返却された場合、迅速で確実な故障解析とその修理を簡単に実施することができる空気調和機の制御装置を提供することができる
【産業上の利用可能性】
【００２７】
本発明の空気調和機の制御装置は、室内機本体または室内機の制御装置のみが故障にて返却された場合でも迅速で確実な故障解析と修理を実施することができ、複数の室内機を接続するマルチシステム空気調和機に有用である。
【図面の簡単な説明】
【００２８】
【図１】本発明の実施の形態１による制御装置の構成図
【図２】本発明の実施の形態１に係るフローチャート
【図３】本発明の実施の形態２に係るフローチャート
【図４】本発明の実施の形態３に係るフローチャート
【図５】本発明の実施の形態４による制御装置の構成図
【図６】本発明の実施の形態４に係るフローチャート
【図７】本発明の実施の形態５に係るフローチャート
【図８】本発明の実施の形態６に係るフローチャート
【符号の説明】
【００２９】
１  室内制御装置
１１  マイクロコンピュータ
１２  室内記憶部
１３  室内通信部
１４  室内表示部
２  室内制御装置
２１  マイクロコンピュータ
２２  室内記憶部
２３  室内通信部
２４  室内表示部
３  室外制御装置
３１  マイクロコンピュータ
３２  室外記憶部
３３  室外通信部
【図１】
2005345053.tif 000003
【図２】
2005345053.tif 000004
【図３】
2005345053.tif 000005
【図４】
2005345053.tif 000006
【図５】
2005345053.tif 000007
【図６】
2005345053.tif 000008
【図７】
2005345053.tif 000009
【図８】
2005345053.tif 000010